【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
少なくとも１部の電子文書が変換され生成されたアプリケーション・フォーマットで格納されたデータ記憶装置を、画像形成装置内に受け取るステップと、
前記データ記憶装置が挿入されると前記画像形成装置に関連した文書処理サービスを選択的に起動するステップと、
前記データ記憶装置と関連した処理文書のリストに関してユーザ・プロンプトを生成するステップと、
少なくとも１つの文書に実行される、少なくとも１つの選択に関してユーザ入力を受信するステップを有することを特徴とする、データ記憶装置を用いた文書処理方法。
【請求項２】
前記処理文書のリストが、前記画像形成装置に設置されたディスプレイ・コンソールのメニューに表示されることを特徴とする、請求項１に記載の、データ記憶装置を用いた文書処理方法。
【請求項３】
前記データ記憶装置が、ユニバーサル・シリアル・バス・データ記憶装置であることを特徴とする、請求項１に記載の、データ記憶装置を用いた文書処理方法。
【請求項４】
前記処理文書のリストに対応する少なくとも１つのアクションのメニューを表示するステップと、
少なくとも１つの表示されるアクションのうちの１つを選択するステップと、
選択された少なくとも１つのアクションに従って文書処理を実行するステップを有し、
前記文書処理に対するアクションの選択が電子メール・リクエストであることを特徴とする、請求項１に記載の、データ記憶装置を用いた文書処理方法。
【請求項５】
前記処理文書のリストに対応する少なくとも１つのアクションのメニューを表示するステップと、
少なくとも１つの表示されるアクションのうちの１つを選択するステップと、
選択された少なくとも１つのアクションに従って文書処理を実行するステップを有し、
前記文書処理に対するアクションの選択がファクシミリ・リクエストであることを特徴とする、請求項１に記載の、データ記憶装置を用いた文書処理方法。
【請求項６】
前記処理文書のリストに対応する少なくとも１つのアクションのメニューを表示するステップと、
少なくとも１つの表示されるアクションのうちの１つを選択するステップと、
選択された少なくとも１つのアクションに従って文書処理を実行するステップを有し、
前記文書処理に対するアクションの選択がプリント・リクエストであることを特徴とする、請求項１に記載の、データ記憶装置を用いた文書処理方法。
【請求項７】
前記文書処理に関連する処理パラメータを選択するステップを更に含むことを特徴とする、請求項１に記載の、データ記憶装置を用いた文書処理方法。
【請求項８】
前記文書処理に関連して、複写枚数、スタイル及び仕上げオプションのいずれか１つの処理パラメータを選択するステップを更に含むことを特徴とする請求項６に記載の、データ記憶装置を用いた文書処理方法。
【請求項９】
前記処理パラメータが画像媒体に関するパラメータであることを特徴とする、請求項７に記載の、データ記憶装置を用いた文書処理方法。
【請求項１０】
前記処理パラメータが画像伝送に関するパラメータであることを特徴とする、請求項７に記載の、データ記憶装置を用いた文書処理方法。
【請求項１１】
前記処理パラメータが、画像出力位置に関するパラメータであることを特徴とする、請求項７に記載の、データ記憶装置を用いた文書処理方法。
【請求項１２】
少なくとも１部の電子文書が変換され生成されたアプリケーション・フォーマットで格納されたデータ記憶装置を、画像形成装置内に受け取るのに適した手段と、
前記電子文書が変換され前記データ記憶装置が挿入されると前記画像形成装置に関連した文書処理サービスを選択的に起動するのに適した手段と、
前記データ記憶装置と関連した処理文書のリストに関してユーザ・プロンプトを生成するのに適した手段と、
少なくとも１つの文書に実行される、少なくとも１つの選択に関してユーザ入力を受信するのに適した手段を有することを特徴とする、データ記憶装置を用いた文書処理システム。
【請求項１３】
前記処理文書のリストが、前記画像形成装置に設置されたディスプレイ・コンソールのメニューに表示されることを特徴とする、請求項１２に記載の、データ記憶装置を用いた文書処理システム。
【請求項１４】
前記データ記憶装置が、ユニバーサル・シリアル・バス・データ記憶装置であることを特徴とする、請求項１２に記載の、データ記憶装置を用いた文書処理システム。
【請求項１５】
前記処理文書のリストに対する少なくとも１つのアクションのメニューを表示するのに適した手段と、
少なくとも１つの表示されるアクションのうちの１つを選択するのに適した手段と、
選択された少なくとも１つのアクションに従って、文書処理を実行するのに適した手段を有し、
前記文書処理に対するアクションの選択が電子メール・リクエストであることを特徴とする、請求項１２に記載の、データ記憶装置を用いた文書処理システム。
【請求項１６】
前記処理文書のリストに対応する少なくとも１つのアクションのメニューを表示するのに適した手段と、
少なくとも１つの表示されるアクションのうちの１つを選択するのに適した手段と、
選択された少なくとも１つのアクションに従って文書処理を実行するステップを有し、
前記文書処理に対する選択がファクシミリ・リクエストであることを特徴とする、請求項１２に記載の、データ記憶装置を用いた文書処理システム。
【請求項１７】
前記処理文書のリストに対応する少なくとも１つのアクションのメニューを表示するのに適した手段と、
少なくとも１つの表示されるアクションのうちの１つを選択するのに適した手段と、
選択された少なくとも１つのアクションに従って文書処理を実行するのに適した手段を有し、
前記文書処理に対するアクションの選択がプリント・リクエストであることを特徴とする、請求項１２に記載の、データ記憶装置を用いた文書処理システム。
【請求項１８】
前記処理文書のリストに関連する処理パラメータを選択するのに適した手段を更に含むことを特徴とする、請求項１２に記載の、データ記憶装置を用いた文書処理システム。
【請求項１９】
前記文書処理に関連して、複写枚数、スタイル及び仕上げオプションのいずれか１つの処理パラメータを選択するのに適した手段を更に含むことを特徴とする請求項１７に記載の、データ記憶装置を用いた文書処理システム。
【請求項２０】
前記処理パラメータが画像媒体に関するパラメータであることを特徴とする、請求項１８に記載の、データ記憶装置を用いた文書処理システム。
【請求項２１】
前記処理パラメータが画像伝送に関するパラメータであることを特徴とする、請求項１８に記載の、データ記憶装置を用いた文書処理システム。
【請求項２２】
前記処理パラメータが、画像出力位置に関するパラメータであることを特徴とする、請求項１８に記載の、データ記憶装置を用いた文書処理システム。
【手続補正２】
【補正対象書類名】明細書
【補正対象項目名】０００５
【補正方法】変更
【補正の内容】
【０００５】
本発明の実施の形態の一つとして、少なくとも１部の電子文書が変換され生成されたアプリケーション・フォーマットで格納されたデータ記憶装置を、画像形成装置内に受け取るステップと、前記電子文書が変換され前記データ記憶装置が挿入されると前記画像形成装置に関連した文書処理サービスを選択的に起動するステップと、前記データ記憶装置と関連した処理文書のリストに関してユーザ・プロンプトを生成するステップと、少なくとも１つの文書に実行される、少なくとも１つの選択に関してユーザ入力を受信するステップを有することを特徴とする、データ記憶装置を用いた文書処理方法がある。
【手続補正３】
【補正対象書類名】明細書
【補正対象項目名】０００６
【補正方法】変更
【補正の内容】
【０００６】
更に、本発明の実施の形態の一つに、少なくとも１部の電子文書が変換され生成されたアプリケーション・フォーマットで格納されたデータ記憶装置を、画像形成装置内に受け取るのに適した手段と、前記データ記憶装置が挿入されると前記画像形成装置に関連した文書処理サービスを選択的に起動するのに適した手段と、前記データ記憶装置と関連した処理文書のリストに関してユーザ・プロンプトを生成するのに適した手段と、少なくとも１つの文書に実行される、少なくとも１つの選択に関してユーザ入力を受信するのに適した手段を有することを特徴とする、データ記憶装置を用いた文書処理システムがある。
【手続補正４】
【補正対象書類名】明細書
【補正対象項目名】００２７
【補正方法】変更
【補正の内容】
【００２７】
ステップ２２４で選ばれた文書の選択後、ユーザは「ｃｏｎｔｉｎｕｅ」４０８アイコンを押下して、次のステップに移る。図２に戻り、ステップ２２４で、ユーザは印刷またはコピーするファイルをＵＳＢデータ記憶装置１０４から入力する。図４では、表示されるように、ユーザは印刷あるいは複写用にファイル「Ｓｃｈｅｄｕｌｅ．ｄｏｃ」を選択した。ステップ２２６で発生、選択された機能に加えて、実行可能なアクションあるいはオプションのリストをユーザに提供する。図５は、更なる例証が表示される。
図５は、プリント機能に対応するオプション・ページのスクリーン・ショット５００である。ユーザが誤ってプリント機能を選択した場合、あるいは間違ったファイルを選択した場合、ユーザは「ＥＸＩＴ」アイコン５０２を押すことにより以前の画面に戻ることができる。プリント・オプション・スクリーン・ショット５００に表示されるように、複写枚数５０４、スタイル５０６、および仕上げオプション５０８がある。これら場合の処理パラメータは、画像媒体などに関するパラメータである。適切なオプション／アクションの選択後、ユーザが単に「Ｐｒｉｎｔ」アイコンを選択すれば、選択されたオプションおよびアクションを取り入れた文書がＵＳＢデータ記憶装置から直接印刷される。
【手続補正５】
【補正対象書類名】明細書
【補正対象項目名】００２８
【補正方法】変更
【補正の内容】
【００２８】
複写枚数５０４は、単にユーザが選択した画像媒体に関するパラメータの一つを示すものであり、本発明を限定しないことは明らかである。スタイル５０６は、ＵＳＢデータ記憶装置に格納されたデータ・ファイルに対して、フォーマット同様に、可能な複数のスタイル変更（大きさ、両面）、縦置き／横置き、マルチページ、プリント枚数等をリストするプルダウン・メニューを組込んでいる。これらは画像出力位置に関するパラメータである。仕上げオプション５０８は、ステープリング、穴あけ、バインディング等、一般のオプションを含む。ユーザが所望のオプションや処理パラメータを選択したら、ステップ２２８に進み、多機能周辺装置に、選択された文書に対してユーザが選択したオプションあるいはアクションを実行させる。処理パラメータには、このように画像媒体や画像伝送や画像出力位置に関するパラメータがある。